(57)【要約】【課題】  ＰＯＳ端末と携帯電話を用いて所有者の「購入する」という意思をもとに認証するという精度の高い認証システムを提供する。【解決手段】  本発明のクレジット決済システムはクレジットカード所有者の「購入する」という意思を用いて、クレジットカード決済の認証することを特徴としている。  より具体的には、クレジットカード決済時に、携帯電話のメール等の通信機能を利用してＰＯＳ端末から入手した店舗や商品などの購入情報や携帯電話番号とＰＯＳ端末からの購入情報やユーザＩＤをもとに認証判断をおこなう。この場合、認証装置にクレジットカード所有者のユーザＩＤと携帯電話番号などの必要情報を登録しておく。【選択図】  図１
2005182338.tif 000002
【特許請求の範囲】
【請求項１】
クレジットカード所有者を認証するため、携帯電話とクレジットカードを所有者に一緒
に所持させ、また、各加盟店のＰＯＳ端末に識別情報を設定し、クレジットカードを使用
して商品を購入する場合やキャッシングを行う場合に、ＰＯＳ端末の識別情報を携帯電話
から認証装置へ通知し、またＰＯＳ端末からも識別情報を認証装置へ通知することで、認
証装置は携帯電話から通知されたＰＯＳ端末の識別情報、携帯電話番号とＰＯＳ端末から
通知された識別情報、クレジットカードのユーザＩＤを元に認証を行うシステムであるこ
とを特徴とした、携帯電話を利用したクレジットカード認証システム。
【発明の詳細な説明】
【技術分野】
【０００１】
この発明は、携帯電話システム、クレジットシステム、セキュリティに関するものであ
り、特に携帯電話の個人認証とクレジットカードの個人認証を使用したクレジットカード
の不正使用を防止する認証システムに関する。
【背景技術】
【０００２】
従来のクレジットカード決済時の認証技術としては、ＰＯＳ端末と携帯電話の位置情報
を用いた認証や、ＧＰＳ機能を具備した特殊なＰＯＳ端末及び携帯電話を用いた認証シス
テムがある（特許文献１）。
【０００３】
特許文献１においては、ＰＯＳ端末の位置情報を登録しておき、ＰＯＳ端末の位置情報
とクレジットカード所有者の携帯電話の位置情報とを比較することで、クレジットカード
所有者を判断するシステムが記載されている。
【０００４】
【特許文献１】特開２００２−２８８７４４号公報
【発明の開示】
【発明が解決しようとする課題】
【０００５】
上述した従来の技術では、ＧＰＳ機能を具備した特殊なＰＯＳ端末及び携帯電話を持た
ない場合やＰＯＳ端末の位置情報を登録していない場合には、これらのサービスを得られ
ないという欠点を有している。
【０００６】
また、店舗内のような一定範囲内でクレジットカードを紛失及び盗難された場合は、所
有者の「購入する/購入しない」という意思に関係なく不正利用されてしまうという課題
がある。
【課題を解決するための手段】
【０００７】
本発明の目的は、ＰＯＳ端末と携帯電話を用いて所有者の「購入する」という意思をも
とに認証するという精度の高い認証システムを提供することにある。
【０００８】
また、更なる本発明の目的は、ＰＯＳ端末の位置情報を設定することやＧＰＳ機能を具
備した特殊な設備を有することなく、クレジットカード決済の認証を行えるシステムを提
供することにある。
【０００９】
本発明のクレジット決済システムはクレジットカード所有者の「購入する」という意思
を用いて、クレジットカード決済の認証することを特徴としている。
【００１０】
より具体的には、クレジットカード決済時に、携帯電話のメール等の通信機能を利用し
てＰＯＳ端末から入手した店舗や商品などの購入情報や携帯電話番号とＰＯＳ端末からの
購入情報やユーザＩＤをもとに認証判断をおこなう。この場合、認証装置にクレジットカ
ード所有者のユーザＩＤと携帯電話番号などの必要情報を登録しておく。
【００１１】
また、本発明は、クレジットカードの他にＡＴＭ及びデビットカード決済などに適用可
能である。
【発明の効果】
【００１２】
ＰＯＳ端末の位置情報を設定することやＧＰＳ機能を具備した特殊な設備を有すること
なく、所有者の「購入する」という意思をもとにした認証を可能とすることで精度の高い
認証システムを提供することが可能となり、クレジットカードの不正使用によるカード会
社やカード所有者の不利益を未然に防止ができるという絶大なる効果を有する。
【発明を実施するための最良の形態】
【００１３】
本発明の実施の形態について図を参照して説明する。図１は、本発明の認証システム及
び利用方法の一つの実施の形態を示すブロック図である。
【００１４】
図１に示す実施の形態は、商品の販売を行う店舗１に設置しているクレジット決済する
ためのＰＯＳ端末２と、クレジット決済時の認証を行う認証装置６とＰＯＳ端末２を接続
する固定回線網４と、クレジットカード所有者の所有している携帯電話３と認証装置６を
接続する携帯電話網５から構成されている。
【００１５】
クレジット決済時、ＰＯＳ端末２と携帯電話３を接続し、ＰＯＳ端末２から店舗や商品
及びＰＯＳ識別番号などの購入情報を取得する。携帯電話３は認証装置６と接続し、購入
情報と携帯電話３の電話番号及びパスワードを送信する。送信後一定時間にクレジットカ
ードをスキャンし、ＰＯＳ端末２は認証装置６へ購入情報とユーザＩＤを送信する。認証
装置６は一般的な認証の他に、送られた二つの識別情報と携帯電話番号およびユーザＩＤ
で認証を行う。認証の結果、許可／不許可をＰＯＳ端末へ送信し、クレジット決済処理を
完結する。
【００１６】
図２は、認証装置の一つの実施の形態を示すブロック図である。
【００１７】
認証装置６はユーザの各種情報を保持するユーザ情報データベース９と、携帯電話３か
ら送られてきた各種情報を一定時間保持するキャッシュ１０と、その情報を元に利用許可
／不許可の判別をする認証プログラムを格納する記憶媒体８と、認証プログラムを実行す
るためのＣＰＵ７とから構成される。
【００１８】
認証装置６は、クレジットカードの新規登録時に利用限度額や利用期限及びユーザＩＤ
と一緒に所有者の携帯電話番号をユーザ情報データベース９へ登録する。
【００１９】
続いて、図３を参照して、認証システムの詳細を説明する。
【００２０】
図３は、認証システムの一つの処理の流れを示すシーケンス図である。
【００２１】
まず、クレジットカードを使用して商品を購入する場合、ＰＯＳ端末２と携帯電話３を
接続し、店舗や商品及びＰＯＳ識別番号などの購入情報を携帯電話３へ送信する（101,10
2）。
【００２２】
携帯電話３はＰＯＳ端末２からの購入情報を取得し、所有者は携帯電話３へパスワード
を入力する（103）。
【００２３】
携帯電話３は取得した購入情報と携帯電話番号及びパスワードを認証装置６へ送信する
（104）。
【００２４】
認証装置６は携帯電話３からの購入情報と携帯電話番号及びパスワードを受け付け、携
帯電話番号とパスワードの認証を行い、正しければキャッシュ１０に各情報を格納し、タ
イマーのカウントを開始する（105）。
【００２５】
認証装置６は携帯電話３へ受付完了を応答する（106）。
【００２６】
携帯電話３で受付完了を確認したら、クレジットカードを店員へ渡す（107）。
【００２７】
店員はＰＯＳ端末２でクレジットカードをスキャンして、購入情報とクレジットカード
のユーザＩＤ及びその他必要な情報を認証装置６へ送信する（108,109）。
【００２８】
認証装置６は受信した情報をもとに一般的な認証の他に、携帯電話３からの購入情報10
4とＰＯＳ端末２からの購入情報109と携帯電話番号及びユーザＩＤとタイマーから認証を
行う（110）。
【００２９】
認証の結果をＰＯＳ端末２へ返答する（111）。
【００３０】
図４を参照して上記認証処理の詳細を説明する。
【００３１】
認証装置６は携帯電話３から店舗や商品およびＰＯＳ端末の識別番号などの購入情報と
携帯電話番号及びパスワードを受付けて、携帯電話番号とパスワードが正しいか確認する
（ステップ201）。
【００３２】
正しいと確認できたら、各情報をキャッシュへ格納しタイマーを開始する（ステップ20
2）。
【００３３】
その後、認証装置６はＰＯＳ端末２から購入情報とユーザＩＤ及び他必要な情報を受信
する（ステップ203）。
【００３４】
認証装置６はユーザ情報データベース９を元に、利用限度額超過や利用期限超過及び盗
難届けがあったカードなどの一般的な認証を行う（ステップ204）。
【００３５】
一般的な認証で問題ない場合は、ＰＯＳ端末２と携帯電話３から送られたユーザＩＤと
携帯電話番号の組み合わせがユーザ情報データベース９に登録してある携帯電話番号とユ
ーザＩＤの組み合わせと一致するか比較する（ステップ205）。
【００３６】
組み合わせが一致する場合は、携帯電話３から送られてきた購入情報とＰＯＳ端末２か
ら送られてきた購入情報を比較する（ステップ206）。
【００３７】
一致している場合はステップ202で開始したタイマーがタイムアウトしていないか判断
する（ステップ207）。
【００３８】
すべての条件を満たしていた場合は当該クレジットによる決済を許可する。一つでも条
件を満たさない場合は当該クレジットによる決済を不許可とする。
【００３９】
以上の実施の形態により、携帯電話とＰＯＳ端末を利用した精度の高いクレジット決済
の認証を行うことが可能となる。
【００４０】
また、本実施の形態には以下のものも含まれる。
【００４１】
ＰＯＳ端２はＡＴＭ装置や自動販売機及びネットショップでもよく、決済の対象はクレ
ジットカードのほかにデビットカードでもよい。
【００４２】
また、当システムをオプション設定とすることで、従来のクレジットカードのシステム
との併用を可能とする。
【図面の簡単な説明】
【００４３】
【図１】本発明の認証システム及び利用方法の一つの実施の形態を示すブロック図である。
【図２】認証装置の一つの実施の形態を示すブロック図である。
【図３】認証システムの一つの処理の流れを示すシーケンス図である。
【図４】認証処理の動作を示すフローチャート図である。
【符号の説明】
【００４４】
１…店舗、２…ＰＯＳ端末、３…携帯電話、４…固定回線網、５…携帯電話網、６…認
証装置、７…認証処理を行うＣＰＵ、８…認証プログラムを格納する記憶媒体、９…ユー
ザ情報データベース、１０…キャッシュ。
【図１】
2005182338.tif 000003
【図２】
2005182338.tif 000004
【図３】
2005182338.tif 000005
【図４】
2005182338.tif 000006